(57)【要約】【課題】従来技術には炉監視カメラ装置のメンテナンス上の欠点がある。本発明は、この問題を除去し、簡単な構成で、飛沫物の影響を受けず、常に正常な監視映像を提供することを目的とする。【解決手段】本発明は上記の目的を達成するため、監視カメラ装置のレンズチューブの先端に回転可能な羽根付き透明体を設け、レンズチューブの先端に直接飛沫物が付着しないようにしたものである。更に、前記羽根付き透明体の支持機構の中心軸を前記レンズチューブの中心軸とは異なる位置となるように配置し、圧縮空気吹出し手段により前記羽根付き透明体を回転させ、該透明体に飛沫物が付着しても、レンズチューブの先端への入光を確保し、常に正常な監視映像を得られるようにしたものである。【選択図】　図１
2004096675.tif 000002
【特許請求の範囲】
【請求項１】
冷却機構を装備した光学部品と、カメラケースで覆われた監視カメラ装置において、該監視カメラ装置の光学部品の先端に回転可能な羽根付き透明体を具備したことを特徴とする監視カメラ装置。
【請求項２】
請求項１の監視カメラ装置において、前記回転可能な羽根付き透明体を回転駆動するために圧縮空気等を噴射する手段を有することを特徴とする監視カメラ装置。
【請求項３】
請求項１乃至２の監視カメラ装置において、前記回転可能な羽根付き透明体の回転軸と、前記光学部品の中心を異なった位置に配置する手段を有することを特徴とする監視カメラ装置。
【発明の詳細な説明】
【０００１】
【発明の属する技術分野】
本発明は、炉監視カメラ装置用光学部品の飛沫物付着による監視カメラ装置の映像障害の改善に関するものである。
【０００２】
【従来の技術】
従来技術の一実施概略図を図２に示す。
１はビデオカメラを内蔵した監視カメラ装置のカメラケースで、２は監視カメラ装置設置時に監視カメラ装置の撮像向きを設定するための半固定雲台で、３はピンホールレンズを使用した光学部品（以下、レンズチューブと称す）で、７は監視カメラ装置の監視対象である例えば溶鉱炉出銑口付近の溶鉄の飛沫物である。
【０００３】
従来の空冷式の冷却機構を装備したレンズチューブ３は、該レンズチューブ３の先端から冷却エアーを吹出して、前記レンズチューブ３への塵埃付着防止の役目を果たしている。前記冷却エアーの吹出し圧力は塵埃付着防止のためであり、あまり強力ではない。従って、例えば製鉄所の溶鉱炉出銑口付近を監視する監視カメラ装置等で前記冷却エアーの吹出し手段を使用する場合、溶鉄の飛沫物７は一般の塵埃に比べ質量及び体積があるため、前記吹出しの冷却エアーでは防ぎきれずレンズチューブ３の先端に付着してしまうことがある。特に前記レンズチューブ３に対して大きな飛沫物がレンズチューブ３の先端に付着すると、該レンズチューブ３の先端の光学用窓を一部覆ったり、また完全に覆ってしまったりし、監視カメラ装置で監視している溶鉱炉出銑口付近の映像が正常に撮像できず監視の重大な障害となっていた。該障害時は溶鉱炉出銑口から溶鉄の流出工程が終了し、監視カメラ装置の周辺温度が下がった後にレンズチューブ３に付着した飛沫物７の除去や、溶着していて取除けない場合はレンズチューブ３そのものを交換したりしなければならず非常に手間取り、また経済性も悪く、監視カメラ装置のメンテナンス上の問題となっていた。
【０００４】
【発明が解決しようとする課題】
前述の従来技術には監視カメラ装置のメンテナンス上の欠点がある。本発明は、この問題を除去し、簡単な構成で、飛沫物の影響を受けず、常に正常な監視映像の提供を実現することを目的とする。
【０００５】
【課題を解決するための手段】
本発明は上記の目的を達成するため、監視カメラ装置のレンズチューブの先端に回転可能な羽根付き透明体を設け、レンズチューブの先端に直接飛沫物が付着しないようにしたものである。更に、前記羽根付き透明体の支持機構の中心軸を前記レンズチューブの中心軸とは異なる位置となるように配置し、圧縮空気吹出し手段により前記羽根付き透明体を回転させ、該透明体に飛沫物が付着しても、レンズチューブの先端への入光を確保し、常に正常な監視映像を得られるようにしたものである。
【０００６】
【発明の実施の形態】
図１に本発明の一実施例を示す。
図１の符号で図２と同じものは説明を省略する。４は回転可能な羽根付き透明体で、５は羽根付き透明体４の回転支持機構で、６は回転可能な羽根付き透明体を回転させるための圧縮空気用配管で、８は回転可能な羽根付き透明体の回転軸である。
【０００７】
以下、この動作について説明する。
例えば、溶鉱炉出銑口から溶鉄を流出する工程を監視カメラ装置で監視する場合、出銑口付近では、溶鉄が流出しだす瞬間が特に溶鉄の飛沫物７が飛び散り、レンズチューブ３の先方からレンズチューブ３に向かって溶鉄の飛沫物７が飛んでくるが、本発明の監視カメラ装置では、圧縮空気用配管６からの圧縮空気が羽根付き透明体４の羽根に当ることにより回転可能な羽根付き透明体４で前記レンズチューブ３に向かって飛んでくる溶鉄の飛沫物７が遮られるので、前記レンズチューブ３の先端には溶鉄の飛沫物７は付着しない。即ち、レンズチューブ３の先端は羽根付き透明体４で完全に防護されるので、従来の監視カメラ装置で問題になっていたレンズチューブ３の先端へ直接溶鉄の飛沫物７が付着することがなく、監視カメラ装置で監視映像が撮像できなくなることを防ぐことができる。なお、回転可能な羽根付き透明体４は最初から回転させなくてもよい。監視カメラ装置の出力の図示しないモニタで飛沫物７が飛んでくることが確認できてから羽根付き透明体４を回転させることでもよい。
【０００８】
次に、出銑口で溶鉄の飛沫物７の発生が激しいとき、レンズチューブ３の前面にある羽根付き透明体４の表面に溶鉄の飛沫物７が付着し、レンズチューブ３の先端への入光が妨げられる可能性がある。この場合は、羽根付き透明体４を回転させることにより解決できる。即ち、回転可能な羽根付き透明体４の回転軸８とレンズチューブ３の中心軸が異なるように羽根付き透明体４の回転支持機構５を配置するようにした。この結果、羽根付き透明体４をレンズチューブ３の中心とは異なる中心で回転させることにより、羽根付き透明体４の表面に溶鉄の飛沫物７が付着したとしても、回転する羽根付き透明体４の同一円周上の表面全てに溶鉄の飛沫物７が付着しない限り、また前記円周上で飛沫物７が付着していない部分が少しでもあれば、前記羽根付き透明体が回転することによりレンズチューブ３の先端への入光が確保でき、監視カメラ装置で出銑口付近の映像撮像は可能となり、常に正常な映像撮像ができることになり従来の技術での問題は解決できる。また、前記羽根付き透明体４の材質は例えば耐熱ガラスで構成し、羽根の回転駆動源には圧縮空気を使用する。これは溶鉱炉周辺の出銑口付近が数百度の高温でありモータ等が使用できないためである。
図１の本発明の一実施例では、レンズチューブ３が長いタイプを例に説明したが、レンズチューブ３は短くても良く、長さ、形状には制約されることは無い。
【０００９】
【発明の効果】
本発明によれば、レンズチューブ３の先端に防護を兼ねた回転可能な羽根付き透明体４を配置することによって、例えば溶鉱炉出銑口付近を監視カメラ装置で監視する場合でも、溶鉄の飛沫物７がレンズチューブ３の先端に直接付着することがないため、また、付着しても前述の回転可能な羽根付き透明体４の同一円周上全てに溶鉄の飛沫物７が付着しない限り、常に正常な出銑口付近の監視映像を提供することができる。
【図面の簡単な説明】
【図１】本発明の一実施例を示す概略図
【図２】従来技術一実施例を示す概略図
【符号の説明】
１：カメラケース、２：半固定雲台、３：レンズチューブ、４：回転可能な羽根付き透明体、５：回転支持機構、６：圧縮空気用配管、７：溶鉄の飛沫、８：回転可能な羽根付き透明体の回転軸
【図１】
2004096675.tif 000003
【図２】
2004096675.tif 000004